(57)【特許請求の範囲】
【請求項１】
外管とその外管内に自在に挿入されて収納される内管とからなり、内管端部に固定されて外管と内管との仮止めを果たす第１の固定継手と、外管端部に外嵌されるとともに外管と内管との接続部分から内管側に突設された筒部に設けられたナット部から固定ねじが螺入されそのねじ先端によって内管の外壁側面が押圧されてねじ止め固定がなされる第２の固定継手とによって外管と内管との接続固定がなされ、前記第１の固定継手の外管の内側に突設された継手軸の一部には円周方向に暫次径寸法が変わる偏芯軸が形成されているとともに、この偏芯軸の外周には円形状の一部を欠いてその一端が厚肉寸法となされた厚肉部が形成されたストッパーリングが周回されており、前記内管端部に固定されて内管の回動に伴って起こる偏芯軸の回動にしたがって、その偏芯軸の外周と外管の内壁との間に介在するストッパーリングの厚肉部がそれら偏芯軸の外周と外管の内壁との間に喰い込んで外管と内管との仮止め固定がなされる農園芸用伸縮支柱であって、接続固定がなされた管体の継手と逆側の自由端を弾性体からなるキャップで覆うとともに、そのキャップの外径寸法より大きな合成樹脂製の有底筒状部を有する端部材の有底筒状部に挿入され、前記有底筒状部の内壁面には管体の自由端が挿入される方向に沿って多数の突条が形成されており、これら多数の突条の頂部は前記キャップの外径寸法よりも小さい径の寸法をなすように配設されて形成されている農園芸用伸縮支柱。
【発明の詳細な説明】
【０００１】
【発明の属する技術分野】
本発明は、果樹など樹木の枝を支える樹木用支柱や、玄関前やベランダの天井と床、軒先と床などの間に突っ張って支持される突っ張りポールなどについて、主として屋外に用いられる農園芸用支柱の、その設置高さ寸法を伸縮式に調整をしながら支持させるものの改善に関する。
【０００２】
【従来の技術】
従来、果樹等樹木の枝を支える支柱に関して例えば特開平７−３２７５２３号公報に、樹木の枝を受ける枝受け具を上端部に備えた上側棒状体と、その内部に上側棒状体を収納して下端部に沈下防止用のストッパーを備えた下側棒状体から必要長さだけ引き出した状態でそれぞれを結合する棒状体連結具を、上側棒状体の周面の一部をリング状に被い、そのリングを切断するスリット状空間を有する筒状体からなる基部と、その基部のスリット状空間の近傍域からそれぞれ突出する相対する突出部とでＵ形体を形成し、その基部の下端面を下側棒状体の上端面を受ける受け面にしてそれ等の両突出部に突出部の間隔を調節する間隔調節具を備えた上側棒状体挟持部と、その挟持部の下側に、下側棒状体の上端部の周面をリング状に被い、上側棒状体挟持部のＵ形体の中央部付近と一体に一部を結合する筒状の下側棒状体上端部収納部を設けた棒状体連結具を用いる樹木の枝支え用支柱が開示されている。また、特開平７−３２７５２３号に開示された樹木の枝支え用支柱の説明のなかでは、枝受け具やストッパーなどの上側，下側棒状体の端部に結合される円筒体からなる収納部は、その内径をそれぞれ棒状体の端部の外径より僅かに大きくされて各棒状体の端部が収納されるようになされている。
【０００３】
しかし、かかる樹木の枝支え用支柱の棒状体連結具の場合、使用しないときに収納したり運搬する際にはコンパクトになって取り扱いが容易というメリットを有しているものの、ボルトとハンドルとからなる間隔調節具を操作してスリット状空間を挟んで対峙する両突出部の間隔を狭めることによって上側棒状体の周面の一部を挟持して上側棒状体が下降しないよう摩擦力で支持するようになされ、通常の使用時には樹木の枝から受ける果実や枝葉自体の総重量を支持しているものの、強風による枝の振れなど瞬間的に相当な力がかかる場合には徐々にズレてしまったり、あるいは突出部や間隔調節具が大きく突出していて他の枝が接触するなどの衝撃によってそれらが破損して上側棒状体の挟持力が大幅に低下してしまって用をなさなくなるということも時には起こっていた。また、軒先と床などの間に突っ張って支持される農園芸鑑賞用等の突っ張りポールの場合も、軒先や天井など建築構造に接する部分では微細な振動をうけていたり、あるいは建物の歪みなどによって相当な力がかかっても、かかる従来の簡易な固定手段だけでは十分に支持できなく支えが緩んで外れるなどトラブルがあった。そしてさらに、後者の突っ張りポールも含め、一般的にはその上下の支持部に用いられる特開平７−３２７５２３号にみられるストッパーの如き端部材の場合、その有底筒状部にポール端部が直接に挿入されて用いられており、特開平７−３２７５２３号の実施形態例ではストッパーの底部（台部の中心）に水抜き用の穴が設けられている等内部に雨水などの水分が進入するのが当然のことととらえられてもいたが、かかる状態では棒状体（ポール）として、例えば一般に多用される芯材を鋼管等としてその外側面に樹脂層が被覆されたような耐食支柱が用いられたとしても、その内側からの腐食の進行は避けられず、挟持支持力の耐久的衰えに加えて棒状体（ポール）の内側からの腐食の進行など、耐久性の低下という問題があった。
【０００４】
【発明が解決しようとする課題】
本発明はかかる従来の欠点に鑑みなされたもので、主として屋外に用いられる農園芸用支柱の、設置高さ寸法を伸縮式調整をしながら支持させ設置する際に、仮止めさせる固定継手と最終的に確実な取付けをするための固定継手とを設けて固定を確実にし、強風による枝の振れなどの瞬間的にかかる相当な力に対しても耐えうるものとするとともに、かつそれら固定継手は支柱の側面から必要最低限だけの突出だけですむようにして他の枝等との接触による破損を避け、また人が誤って引っ掛けることのない安全なものとし、あるいは屋外用途として支柱端部での雨水等に対する水密性を高め、耐久性を向上させようとするものである。
【０００５】
【課題を解決するための手段】
上記課題を解決するため、本発明農園芸用伸縮支柱は、外管とその外管内に自在に挿入されて収納される内管とからなり、内管端部に固定されて外管と内管との仮止めを果たす第１の固定継手と、外管端部に外嵌されるとともに外管と内管との接続部分から内管の内側に突設された筒部に設けられたナット部から固定ねじが螺入されそのねじ先端によって内管の外壁側面が押圧されてねじ止め固定がなされる第２の固定継手とによって外管と内管との接続固定がなされ、前記第１の固定継手の外管側に突設された継手軸の一部には円周方向に暫次径寸法が変わる偏芯軸が形成されているとともに、この偏芯軸の外周には円形状の一部を欠いてその一端が厚肉寸法となされた厚肉部が形成されたストッパーリングが周回されており、前記内管端部に固定されて内管の回動に伴って起こる偏芯軸の回動にしたがって、その偏芯軸の外周と外管の内壁との間に介在するストッパーリングの厚肉部がそれら偏芯軸の外周と外管の内壁との間に喰い込んで外管と内管との仮止め固定がなされるものである。
【０００６】
本発明によれば、仮止めを果たす第１の固定継手によって所定の高さに調節をしながら外管と内管との接続がなされた後、第２の固定継手によってより確実な固定がなされるため、本来の支持機能に加え、例えば果樹など樹木の枝を支える樹木用支柱では通常の使用時には樹木の枝から受ける果実や枝葉自体の総重量を支持するのはもちろん、強風による枝の振れなど瞬間的に相当な力がかかった際にも外管と内管との接続部分で徐々にズレるようなことがなく、さらには第１の固定継手は内管端部に固定されて部分が外部に突出することは全くなく、第２の固定継手でも操作上最低必要な固定ねじの頭部のみが突出するだけで他の枝との接触等による衝撃によって破損して継手の挟持力が大幅に低下するというような心配がなくて耐久性、信頼性が向上する。
【０００７】
また、本発明農園芸用伸縮支柱においては、前記第１，２の固定継手によって接続固定がなされた外管と内管それぞれの管体の継手と逆側の自由端を、弾性体からなるキャップで覆うとともに、そのキャップの外径寸法より大きな合成樹脂製の有底筒状部を有する端部材の有底筒状部に挿入され、その有底筒状部の内壁面には管体の自由端側が挿入される方向に沿って多数の突条が形成されており、これら多数の突条の頂部は前記キャップの外径寸法よりも小さい径の寸法をなすように配設されて形成されているものである。
【０００８】
これによって、外管と内管それぞれの管体の自由端が弾性体からなるキャップで覆われていることによって、管体の端部における水密性が向上し、さらにそのうえ、このキャップを伴った管体の自由端側が挿入される端部材の有底筒状部の内壁面には管体が挿入される方向に沿った多数の突条が形成され、それら多数の突条の頂部がキャップの外径寸法よりも小さい径の寸法をなすように配設されていることによって、このキャップ付き管体端部が端部材の有底筒状部に挿入される際に突条の頂部が弾性体からなるキャップ側面を強く押圧することとなって、キャップは益々管体の端部側面に強く押しつけられて水密性がさらに向上して、管体内部への雨水などの侵入が阻止されて管体内側からの腐食をくい止めることができて耐久性が向上する。
【０００９】
【発明の実施の形態】
以下、本発明農園芸用伸縮支柱の実施形態の例について、図１〜図６を参照しながら説明する。図１，２は本発明農園芸用伸縮支柱を適用した用途例を表す、それぞれ屋外に用いられる伸縮支柱からなる、樹木の枝を支える樹木用支柱，軒先と床等の間に突っ張って支持される農園芸等鑑賞用の突っ張りポールのイラストで、図３は、それらの伸縮支柱を構成する径寸法の異なる外管３と内管４の接続部分の断面図であり、また図４は、図３の要部の動作について説明する断面図である。さらに図５は、本発明農園芸用伸縮支柱の端部が、伸縮支柱の端部材の有底筒状部に挿入される例を、樹木の枝を支える樹木用支柱について表したイラストで、図６はその要部の詳細を示す（ａ）：支柱端部の側断面図，（ｂ）：端部材の側面図，（ｃ）：端部材の一部断面を表す上面図である。
【００１０】
図中の１は仮止め用の第１の固定継手、２は最終固定用の第２の固定継手であり、それらにより接続された外管３，内管４のそれぞれ端部には弾性体からなるキャップ５が被せられ、枝受け（上端）やベース（下端）などの用途に応じた端部材６の有底筒状部６１に挿入されて本発明農園芸用伸縮支柱が構成される。
【００１１】
外管３，内管４はアルマイト処理や塗装仕上げ等の表面処理がなされたアルミニウムやステンレススチールなど金属管、あるいはスチールパイプに合成樹脂層が被覆された複合成形管、その他硬質合成樹脂の成形管などによって製作され、内管４は外管３の内側に自在に挿入され、内管の端部には図３〜４に示すようにそれぞれの管体の仮止めを果たす第１の固定継手１が内管の側面からその一部をかしめるようになされたり、ネジ止めや接着によって一体的に固定されており、内管の端部から突設部分には後述する‘偏芯軸が回動する締めつけ機構’による接続構造が構成され、さらに固定定継手２が外管３の端部に外嵌されるとともに外管３と内管４との接続部分から内管側に突設された筒部２１にナット部２２が設けられ、それに固定ねじ２０が螺入されてその先端によって内管４外壁側面が押圧されてねじ止め固定され、外管３と内管４との接続固定がなされる。
【００１２】
図３の外管３と内管４の接続部分を表す断面図において、第１の固定継手１の‘偏芯軸が回動する締めつけ機構’の動作を説明する断面図を図４に示したが、内管４の端部に固定された第１の固定継手１の内管４の端部から外管３の内側に突設された継手軸の一部に円周方向に暫次径寸法が変わる偏芯軸１１が形成されるとともに、この偏芯軸１１の外周には円形状の一部を欠いてその一端が厚肉寸法となされた厚肉部１３が形成されたストッパーリング１２が周回されており、前記内管４の端部に固定されて内管４の回動に伴って起こる偏芯軸１１の回動にしたがって、その偏芯軸１１の外周と外管３の内壁との間に介在するストッパーリング１２の厚肉部１３が、それら偏芯軸１１の外周と外管３の内壁との間に喰い込んで、外管３と内管４との仮止め固定がなされる機構の動作を表している。すなわち、図４において偏芯軸１１の外周の軸芯からの径寸法が最も短い位置に厚肉部１３が位置する状態（ａ）から、その偏芯軸１１（＝その固定されている内管４）を図の右回り方向〔（ｂ）図の破線矢印〕に回転させた場合には、偏芯軸１１の外周上を暫次その径寸法が増加する方向の外周面上にストッパーリング１２の厚肉部１３が位置することとなってその偏芯軸１１の外周と外管３の内壁との間に喰い込んで、外管３と内管４との仮止め固定がなされるわけである。
【００１３】
次に、図５，６は本発明の請求項２に係る発明を説明するものであり、図中のキャップ５は例えば塩化ビニル等軟質合成樹脂やエラストマー、合成ゴムなどの弾性体の成型品からなり、またこのキャップ５で覆われた外管と内管それぞれの管体端部がその有底筒状部６１に挿入される端部材６は、例えばポリエチレンやポリプロピレンなどの合成樹脂によって成型されたものが好適に用いられる。
【００１４】
ここで端部材６は、図１の如き樹木の枝を支える樹木用支柱の用途においては上部は樹木の枝を支える支持具６４、下部は地面に対して支えとなる座が形成された台座６５となされたり、また例えば図２の如き軒先と床等の間に突っ張って支持される農園芸等鑑賞用の突っ張りポールの場合にも軒先と床のそれぞれの面に対する支持の目的で座が形成された台座など、その農園芸用伸縮支柱の用途に応じた形状のものとして成型されればよい。そして、それらについて説明するため図６において、キャップ５で覆われた管体端部：（ａ）と、それら端部材６：（ｂ）、およびその有底筒状部へ挿入後の収まり：（ｃ）をそれぞれ示した。なお、本図５，６の実施の形態例は、図１の如き樹木の枝を支える樹木用支柱の用途を例として説明するものである。
【００１５】
図６において、キャップ５で覆われた管体端部は、その外径寸法より大きな端部材６の有底筒状部６１に挿入され、その有底筒状部６１の内壁面にはキャップ付き管体端部が挿入される方向に沿って多数の突条６２が形成されており、これら多数の突条６２の頂部は前記キャップ５の外径寸法よりも小さい径の寸法をなして配設されている。これによって、外管と内管など管体端部が弾性体からなるキャップで覆われて管体端部の水密性は向上し、これらの多数の突条６２の頂部がキャップの外径寸法よりも小さい径の寸法をなして配設されているため、このキャップ５付き管体端部が端部材６の有底筒状部６１に挿入されると突条６２の頂部がキャップ５の側面を強く押圧し、キャップ５は益々管体の端部側面に強く押しつけられ水密性がさらに向上し、管体内部への雨水などの侵入が阻止されて管体内側からの腐食をくい止めることができて耐久性が向上するわけである。
【００１６】
また、図６の実施の形態例では、この伸縮支柱の下部の内管４の下端に取付けられる台座（端部材６）の下部が穏やかな曲面を形成していて、この樹木用支柱の上部で果樹などを支えながら横から地表面付近をスライドさせながら建て込みされるようになされ必要以上に高く持ち上げなくてよく、また例えば図１に表すように地表に雑草防止シートや果実全体を均等に生育させるために太陽光を反射させるために用いられる反射シート等が敷かれている場合にも、それらシート類を破損させずにこの樹木用支柱の設置ができ、また建て込んだ後もその台座中心を重点的に下部の曲面全体で果樹等の枝の重量を安定して受けることになる。
【００１７】
さらにまた、台座（端部材６）の下部形状はその先端が尖った杭先となされ、地中に刺さって支柱の倒れを防止するような形態のものであってもかまわない。
【００１８】
なお、本実施の形態例では、台座（端部材６）の有底筒状部６１とこれに挿入されるキャップ５付き管体（内管４）の側面の間に生じる隙間から進入する雨水に対して、その有底筒状部６１の内壁面に形成された多数の突条６２の間毎に、それら下部に孔６３が設けられて水分の排出がなされているのが好ましい。
【００１９】
【実施例】
外管３として外径２９．４mmφ〔鋼管外径２８．４mmφ，鋼管厚さ０．５mmｔに０．５mmｔのＡＡＳ樹脂の被覆層〕の、内管４として外径２５．４mmφ〔鋼管外径２４．４mmφ，鋼管厚さ０．５mmｔに０．５mmｔのＡＡＳ樹脂の被覆層〕のそれぞれ合成樹脂被覆成形鋼管を用いた。
【００２０】
図３に示す第１の固定継手１の内管４端部への内嵌長さ２０mm、外管３側への突設部分のうち偏芯軸１１の幅寸法５mm〔これが内嵌された外管３の内壁から偏芯軸１１の表面までの深さ寸法を円周方向に暫次径寸法が変わる最大７mm〜最小３．５mm〕、かつストッパーリング１２の幅寸法４．２mm、外径寸法約２８mmφ〔ほぼ３．２mm厚さのほぼ３／４円形のの一端が６．５mmの厚肉寸法の厚肉部が形成された略Ｃ形〕として、固定継手１の偏芯軸１１側本体をＡＢＳ樹脂で成型し、ストッパーリング１２としては耐磨耗性に優れたポリアセタール樹脂で成型したものを用いた。また、第２の固定継手２としては外管３への外嵌部は３０mm〔筒状部は外管３の外径寸法より僅かに大きい２９．８mmφとして両者間は接着処理で固定〕、内管４側へ突設された筒部２１の長さは２０mmとしてその側面に深さ１０mmにわたって４mmのナット部を形成させて、そのナット部に指で廻せるつまみ付きの固定ねじ２０を螺入させて固定できるようにした。
【００２１】
かくして、図３の如く組み立てた第１の固定継手１、および第２の固定継手２を介して接続させた外管３と内管４のそれぞれ上下端部から、樹木などの荷重を受けた場合を想定し圧縮荷重を加え、本接続構造の耐荷重強度評価を行った。耐荷重強度評価試験はＭａｘ５００ｋｇｆレンジの圧縮強度試験機によって、５０mm／min.の圧縮荷重をかけてゆき、オートグラフによって固定位置でズレが発生した時点での強度を測定した。
【００２２】
結果として、第１の固定継手１のみを締めつけた場合２５〜３０ｋｇｆ程度にとどまったが、第２の固定継手２の固定ねじ２０を締め付けて測定した場合には、固定ねじ２０の締め付けの具合によって変動あるものの７５〜１６０ｋｇｆの高い数値を測定でき、第２の固定継手２の固定効果を確認することができた。なお、上記固定ねじ２０の先端部は約３．４mmφの平坦部を有するものであり、比較のため固定ねじ２０として先端が尖った形状のものを用いて同条件での耐荷重強度評価を行ったところ２００〜２５０ｋｇｆの高い数値が測定された。この結果から、例えば図１の実施形態の例のような、この農園芸用伸縮支柱の用途が樹木の枝を支える樹木用支柱の場合一般的に果実の実った時期には、支柱１本当たり１０〜２０ｋｇ程度の荷重ごとに設置されることを考えれば、強風や降雨によって例えば３倍程度の瞬間荷重がかかったとしても、本発明を適用した農園芸用伸縮支柱を用いることにより接続部分で外管３，内管４が徐々にズレる心配をすることなく、長期にわたっての使用に耐えて耐久性に優れる。
【００２３】
次に、図５に表した樹木用支柱について、外管３，内管４として上記のものを用いて、キャップ５として合成ゴム製のともに外径寸法が３４mmφのものを用い〔従って内管４用のものの方が厚肉〕、それぞれ外管３，内管４の外径寸法よりも若干小さめの有底筒状とし、それらキャップ５を伴った管体端部が挿入される端部材６の有底筒状部の筒状部の内径寸法をキャップ５の外径寸法よりも大きい４０mmφとし、その筒状部の内壁面には管体の自由端が挿入される方向に沿って、本実施形態の例では頂部がほぼ１mm幅で裾幅が４mmの１０本の突条６２をほぼ均等間隔に形成させ、これら多数の突条の頂部はキャップ５の外径寸法よりも小さい３３．５mmφの径寸法をなすように配設されて形成させた。
【００２４】
そして、外管３，内管４の端部をそれぞれ上記キャップで覆い、それぞれこれらキャップ付き管体端部を各々の端部材６に挿入させたところ、それら筒状部の内壁面に形成させた突条６２は先端が細幅であり、かつ筒状部の内壁面にほぼ均等間隔に形成されていることから難なく嵌着させることができ、また多数の突条の頂部はキャップ５の外径寸法よりも小さい径寸法をなすように配設されていることからキャップ５は外管３，内管４の端部の側壁面により強く押しつけられて水密性がさらに向上して、管体内部への雨水などの侵入が阻止された。
【００２５】
【発明の効果】
以上詳述したように、本発明農園芸用伸縮支柱は、外管とその外管内に自在に挿入されて収納される内管とからなり、内管端部に固定されて外管と内管との仮止めを果たす第１の固定継手と、外管端部に外嵌されるとともに外管と内管との接続部分から内管の内側に突設された筒部に設けられたナット部から固定ねじが螺入されそのねじ先端によって内管の外壁側面が押圧されてねじ止め固定がなされる第２の固定継手とによって外管と内管との接続固定がなされ、前記第１の固定継手の外管側に突設された継手軸の一部には円周方向に暫次径寸法が変わる偏芯軸が形成されているとともに、この偏芯軸の外周には円形状の一部を欠いてその一端が厚肉寸法となされた厚肉部が形成されたストッパーリングが周回されており、前記内管端部に固定されて内管の回動に伴って起こる偏芯軸の回動にしたがって、その偏芯軸の外周と外管の内壁との間に介在するストッパーリングの厚肉部がそれら偏芯軸の外周と外管の内壁との間に喰い込んで外管と内管との仮止め固定がなされたもので、仮止めを果たす第１の固定継手によって所定の高さに調節をしながら外管と内管との接続がなされた後、第２の固定継手によって固定が確実であるとともに、耐荷重の面から通常の使用時に受ける樹木の果実や枝葉自体の総重量だけでなく、強風による枝の振れなど瞬間的に相当な力がかかった際にも外管と内管との接続部分で徐々にズレるようなことなく、また第１の固定継手は内管端部に固定されて部分が外部に突出することがなくて耐候劣化がなく耐久性に優れ、第２の固定継手も操作上最低必要な固定ねじの頭部のみが突出するだけで他の枝との接触等による衝撃によって破損して継手の挟持力が大幅に低下するというような心配がなくて耐久性、信頼性において優れている。
【００２６】
また、本発明農園芸用伸縮支柱においては、前記第１，２の固定継手によって接続固定がなされた外管と内管それぞれの管体の継手と逆側の自由端を、弾性体からなるキャップで覆うとともに、そのキャップの外径寸法より大きな合成樹脂製の有底筒状部を有する端部材の有底筒状部に挿入され、その有底筒状部の内壁面には管体の自由端側が挿入される方向に沿って多数の突条が形成されており、これら多数の突条の頂部は前記キャップの外径寸法よりも小さい径の寸法をなすように配設されて形成されているものであり、外管と内管それぞれの管体の自由端が弾性体からなるキャップで覆われていることにより、管体の端部における水密性が向上し、さらにキャップを伴った管体の自由端側が挿入される端部材の有底筒状部の内壁面には管体が挿入される方向に沿った多数の突条が形成され、それら多数の突条の頂部がキャップの外径寸法より小さい径の寸法をなすように配設されていることにより、このキャップ付き管体端部が端部材の有底筒状部に挿入される際に突条の頂部が弾性体からなるキャップ側面を強く押圧することとなって、キャップは益々管体の端部側面へと強く押しつけられて水密性がさらに向上して、管体内部への雨水などの侵入が阻止されるので管体内側からの腐食をくい止めることができて耐久性が向上する。
【図面の簡単な説明】
【図１】  本発明農園芸用伸縮支柱の実施形態の一例の、樹木の枝を支える樹木用支柱のイラストである。
【図２】  本発明農園芸用伸縮支柱の実施形態の一例の、軒先と床等の間に突っ張って支持される農園芸等鑑賞用の突っ張りポールのイラストである。
【図３】  本発明農園芸用伸縮支柱の要部である管体の接続部分の断面図である。
【図４】  図３の要部の動作について説明する、部品一部の断面図である。
【図５】  本発明農園芸用伸縮支柱の上下両端部において、支柱の端部材の有底筒状部に挿入される部分の実施形態の一例を、樹木の枝を支える樹木用支柱について表したイラストである。
【図６】  図５の要部の詳細を示す（ａ）：支柱端部の側断面図，（ｂ）：端部材の側面図，（ｃ）：端部材の一部断面を表す上面図である。
【符号の説明】
１    第１の固定継手
１１  偏芯軸
１２  ストッパーリング
１３  厚肉部
２    第２の固定継手
２０  固定ねじ
２１  筒部
２２  ナット部
３    外管
４    内管
５    キャップ
６    端部材
６１  有底筒状部
６２  突条
６３  孔
６４  枝支持具
６５  台座
【図１】
0003860990.tif 000002
【図２】
0003860990.tif 000003
【図３】
0003860990.tif 000004
【図４】
0003860990.tif 000005
【図５】
0003860990.tif 000006
【図６】
0003860990.tif 000007